(57)【要約】【課題】工数も少なく部品コストおよび金型費も安価にすることができるストロボ装置を提供する。【解決手段】リフレクタ２内に閃光管１を保持固定する固定バンドとして、弾性材料からなり両端に底部１０が開放で天部の一部に底部１０と異なる中心および形状の係止孔部８が形成された筒状部９を有する固定バンド７を使用して、閃光管１を保持固定する際の固定バンド７による両端の折り返しの必要性をなくす。【選択図】図１
2005077542.tif 000002
【特許請求の範囲】
【請求項１】
円筒状の両底面に放電電極を持ち、その放電電極への電圧印加によりストロボ光を発する閃光管と、前記閃光管の側面に接触する断面略半円の筒状体からなる底部と該底部から略面対称に延びる一対の反射面とを持つリフレクタと、バンド形状で弾性材料からなり、その両端部が前記閃光管に掛け止められ、前記バンド形状の本体が前記リフレクタの底部背面に位置して、該レフレクタの底部に前記閃光管を押し付ける固定バンドとを有するストロボ装置において、前記固定バンドは、その両端部に、それぞれ閃光管の端部が挿入される筒状部を有し、該筒状部の底部が開放され天部の一部に前記放電電極を通過させて係止する孔が開いていることを特徴とするストロボ装置。
【請求項２】
前記筒状部の底部中心と前記筒状部の天部の孔中心とが一致しないことを特徴とする請求項１記載のストロボ装置。
【請求項３】
前記筒状部の底部中心と前記筒状部の天部の孔中心とが、前記閃光管を取り付けた状態で一致することを特徴とする請求項２記載のストロボ装置。
【請求項４】
前記筒状部の側面の肉厚が不均一であることを特徴とする請求項３記載のストロボ装置。
【発明の詳細な説明】
【技術分野】
【０００１】
本発明は、カメラなどの撮影の際に用いられるストロボ装置に関し、特に発光体である閃光管を保持固定するための保持構造に関するものである。
【背景技術】
【０００２】
従来から、バックメタルでトリガするストロボ装置として、ストロボ光を発する閃光管の外面にトリガ用の透明電極を施し、この閃光管を金属からなるリフレクタ（バックメタル）の断面略半円筒状の底部に接触させた状態で、閃光管を装置内に保持するストロボ装置が知られている。
【０００３】
以上のような従来のストロボ装置（例えば、特許文献１を参照）について、以下に説明する。
図５は従来のストロボ装置における固定バンドの構造図である。図５において、固定バンドの孔３２ａが引っ張られるため非円形に変形し、固定バンドと閃光管との間に空隙間が生じ、これが発光不良の原因となることがあった。これを防止するために、固定バンドの両端側に、引っ張られない孔３３を接続部３４で折り返していた。
【特許文献１】特開２００２−２３２２９号公報（第１図）
【発明の開示】
【発明が解決しようとする課題】
【０００４】
しかしながら上記のような従来の構成では、閃光管の固定の際に、閃光管の両端に対して固定バンドを折り返して２重に挿入することにより、閃光管を装置内に固定するようにしているため、これらの挿入作業に必要な工数により装置全体の組み立て工数が多くなるという問題点を有していた。
【０００５】
また、固定バンド作製用材料の量が多くなるとともに固定バンド作製用金型も構造が大型化し、部品コストおよび金型コストも高くなり、上記の組み立て工数の増大も含めて製品コストが上がってしまうという問題点も有していた。
【０００６】
また、閃光管とリフレクタとの密着性が低下し、閃光管に対して確実なトリガが供給できず管内放電の起動が不安定になることがあり、さらに固定バンドと閃光管との間の隙間もなくすことができないため、発光不良および発光漏れが発生し、良好な発光特性が得られないという問題点をも有していた。
【０００７】
本発明は、上記従来の問題点を解決するもので、部品コストおよび金型コストを低減し、さらに工数を少なくしかつ組み立てを容易化して、製品コストを下げることができるとともに、発光不良および発光漏れを容易にかつ確実に防止して、優れた発光特性を得ることができるストロボ装置を提供する。
【課題を解決するための手段】
【０００８】
上記の課題を解決するために、本発明の請求項１に記載のストロボ装置は、円筒状の両底面に放電電極を持ち、その放電電極への電圧印加によりストロボ光を発する閃光管と、前記閃光管の側面に接触する断面略半円の筒状体からなる底部と該底部から略面対称に延びる一対の反射面とを持つリフレクタと、バンド形状で弾性材料からなり、その両端部が前記閃光管に掛け止められ、前記バンド形状の本体が前記リフレクタの底部背面に位置して、該レフレクタの底部に前記閃光管を押し付ける固定バンドとを有するストロボ装置において、前記固定バンドは、その両端部に、それぞれ閃光管の端部が挿入される筒状部を有し、該筒状部の底部が開放され天部の一部に前記放電電極を通過させて係止する孔が開いていることを特徴とする。
【０００９】
また、本発明の請求項２に記載のストロボ装置は、請求項１記載のストロボ装置であって、前記筒状部の底部中心と前記筒状部の天部の孔中心とが一致しないことを特徴とする。
【００１０】
また、本発明の請求項３に記載のストロボ装置は、請求項２記載のストロボ装置であって、前記筒状部の底部中心と前記筒状部の天部の孔中心とが、前記閃光管を取り付けた状態で一致することを特徴とする。
【００１１】
また、本発明の請求項４に記載のストロボ装置は、請求項３記載のストロボ装置であって、前記筒状部の側面の肉厚が不均一であることを特徴とする。
以上により、閃光管の固定に弾性を備え伸長自在な固定バンドを用いることにより、閃光管の固定の際に、固定バンドの両端をそれぞれ１回づつ閃光管に挿入するだけで、閃光管とリフレクタを密着させて閃光管へのトリガを確実に供給し、しかも固定バンドと閃光管の間の隙間を容易になくすことができる。
【発明の効果】
【００１２】
以上のように本発明によれば、閃光管の固定に弾性を備え伸長自在な固定バンドを用いることにより、閃光管の固定の際に、固定バンドの両端をそれぞれ１回づつ閃光管に挿入するだけで、閃光管とリフレクタを密着させて閃光管へのトリガを確実に供給し、しかも固定バンドと閃光管の間の隙間を容易になくすことができる。
【００１３】
そのため、部品コストおよび金型コストを低減し、さらに工数を少なくしかつ組み立てを容易化して、製品コストを下げることができるとともに、発光不良および発光漏れを容易にかつ確実に防止して、優れた発光特性を得ることができる。
【発明を実施するための最良の形態】
【００１４】
以下、本発明の実施の形態を示すストロボ装置について、図面を参照しながら具体的に説明する。
図１は本実施の形態のストロボ装置の構造を示す斜視図であり、閃光管１をリフレクタ２における断面略半円の筒状体からなる底部３に配置した状態を示している。金属材料からなるリフレクタ２は底部３の中心を通る平面に関し略面対称に延びる一対の反射面４を有している。このリフレクタ２の外面には、トリガ電極５が半田付けされている。このトリガ電極５からリフレクタ２に高電圧のトリガパルスを与える。閃光管１は両端部に放電電極６を有し、その外面には、トリガ用の透明電極が施されている。固定バンド７は、閃光管１をリフレクタ２の底部３に密着固定させて保持するものである。固定バンド７は、ゴムあるいは合成樹脂等の弾性を有する材料からなるもので、左右対称形状をしている。
【００１５】
図２は本実施の形態のストロボ装置における固定バンドの構造を示す（ａ）正面図、（ｂ）平面図および（ｃ）底面図であり、図３は本実施の形態のストロボ装置における固定バンドの構造を示す断面図（図２（ａ）における２Ａ−２Ａ’矢視断面図）であり、それぞれ一方の形状を示すものである。また、図４はストロボ装置における固定バンドの使用状態図である。
【００１６】
図２、図３に示すように、リフレクタ２の底部背面に位置する固定バンド７の両端部には、それぞれ該固定バンド７本体の延長方向（平面）に対して略直交する係止孔部８を有する筒状部９が形成されている。筒状部９の天部には係止孔部８が開いていて、筒状部９の底部形状１０の中心と係止孔部８の中心が一致していない。該底部形状１０は、閃光管１の外径と同一またはこれより小さく設定されている。
【００１７】
以上の固定バンド７を用いて、閃光管１をリフレクタ２に密着固定するには、図１に示すように、閃光管１をリフレクタ２の底部３に接触させ、その両端部をリフレクタ２から突出させる。この状態で固定バンド７の両端部の筒状部９の底部形状１０を閃光管１の両端部に合致させ、閃光管１をその放電電極６を筒状部９天部の係止孔部８に挿入する。この時閃光管１は、固定バンド７の引張力によりリフレクタ２の底部に密着する。
【００１８】
以上のように、固定バンド７により閃光管１をリフレクタ２に保持すると、閃光管１の両端部外面には、筒状部９の側面が接触し、次に天部の係止孔部８の端面が接触する。側面部の肉厚１１は固定バンドの端部が他と比較して厚いので、固定バンド７の内側への引張力で底部形状１０は非円形（略流線型）になる。天部も底部１０と同様に負荷がかかっているので、天部形状が底部形状と同じ形状であれば、図４に示すように閃光管１と係止孔部８との間に空隙間部１２が生じる。
【００１９】
ところが、本実施の形態の係止孔部８は、図２のような形状をしているので、閃光管１との間に空隙間部がなく、トリガ電圧のリークが生じない。よって一対の放電電極の間に、コンデンサーに蓄電された高電圧を印加しておき、シャッターレリーズ信号に同期させてリフレクタ２にトリガ電圧を与えたとき、発光不全が生じるおそれがない。
【産業上の利用可能性】
【００２０】
本発明のストロボ装置は、発光体である閃光管を装置内に容易にかつ確実に保持固定することにより、発光不良および発光漏れを容易にかつ確実に防止して、優れた発光特性を得ることができるものであり、カメラなどの撮影の際に用いられるストロボ装置等に適用できる。
【図面の簡単な説明】
【００２１】
【図１】本発明の実施の形態のストロボ装置の構造を示す斜視図
【図２】同実施の形態のストロボ装置の構造を示す正面図、平面図および底面図
【図３】同実施の形態のストロボ装置における固定バンドの構造を示す断面図
【図４】ストロボ装置における固定バンドの使用状態図
【図５】従来のストロボ装置における閃光管の固定方法の説明図
【符号の説明】
【００２２】
１    閃光管
２    リフレクタ
３    リフレクタ底部
４    反射面
５    トリガ電極
６    放電電極
７    固定バンド
８    係止孔部
９    筒状部
１０    筒状部底部
１１    側面部の肉厚
１２    空隙間部
【図１】
2005077542.tif 000003
【図２】
2005077542.tif 000004
【図３】
2005077542.tif 000005
【図４】
2005077542.tif 000006
【図５】
2005077542.tif 000007